(57)【特許請求の範囲】
【請求項１】
前面基板の背面側に行方向に延び列方向に並設されてそれぞれ一表示ラインを形成する複数の行電極対が設けられ、背面基板の前面基板と放電空間を介して対向する側に列方向に延び行方向に並設された複数の列電極を備えたプラズマディスプレイパネルにおいて、
前記行電極対を構成する行電極がそれぞれ、行方向に延びる電極本体部と、この電極本体部に沿って並設されるとともに電極本体部に対して交差するように接続された列方向に延びる複数の突出電極部を有し、
前記行電極の電極本体部がそれぞれ、行電極対の対になっている他の行電極の電極本体部との間隔が交互に広くなったり狭くなったりするように波形に形成されていて、行電極対を構成する一方の行電極の電極本体部と隣接する表示ラインを形成する他の行電極対の他方の行電極の電極本体部とが同じ間隔で互いに背中合わせに配置されており、
前記突出電極部が、電極本体部の対になっている他の行電極の電極本体部との間隔が広くなっている部分に接続されて、この突出電極部の対になっている他方の行電極の側に延びる部分がそれぞれ隣接する他の行電極対側に延びる部分よりも電極本体部から長く張り出しており、この突出電極部の他方の行電極側に長く張り出している部分の端部同士が所要の間隔を開けて対向されて放電ギャップを形成し、
この互いに対向されて対になった突出電極部に対向する部分の放電空間にそれぞれ単位発光領域が形成されている、
ことを特徴とするプラズマディスプレイパネル。
【請求項２】
前記行電極の電極本体部の前面側に、光を反射しない光吸収層が形成されている請求項１に記載のプラズマディスプレイパネル。
【請求項３】
前記単位発光領域が、前記前面基板と背面基板との間において列方向に延びる帯状の隔壁によって区画されている請求項１に記載のプラズマディスプレイパネル。
【請求項４】
前記隔壁の前面基板と対向する側に、光を反射しない光吸収層が形成されている請求項３に記載のプラズマディスプレイパネル。
【発明の詳細な説明】
【０００１】
【発明の属する技術分野】
この発明は、プラズマディスプレイパネルのセル構造に関する。
【０００２】
【発明が解決しようとする課題】
近年、大型でかつ薄型のカラー画面表示装置として面放電方式交流型プラズマディスプレイパネル（以下、ＰＤＰ）が注目を集めており、その普及が図られて来ている。
【０００３】
図８は、このＰＤＰの従来のセル構造を模式的に示す平面図であり、図９は、図８のＶ−Ｖ線における断面図、図１０は、図８のＷ−Ｗ線における断面図である。
【０００４】
この図８ないし１０において、ＰＤＰの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示面における１表示ライン（行）Ｌが構成される。
【０００７】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６（Ｒ），６（Ｇ），６（Ｂ）とが設けられている。
【０００８】
そして、各表示ラインＬにおいて、列電極Ｄ’と行電極対（Ｘ’，Ｙ’）が交差する部分の放電区間Ｓ’に、隔壁５によって列方向が仕切られた放電セルＣがそれぞれ形成されている。
【０００９】
上記のＰＤＰにおける画像の表示は、以下のようにして行われる。
すなわち、先ず、アドレス操作により、各放電セルＣにおいて行電極対（Ｘ’，Ｙ’）と列電極Ｄ’との間で選択的に放電（対向放電）が行われ、発光セル（誘電体層２に壁電荷が形成された放電セルＣ）と非発光セル（誘電体層２に壁電荷が形成されなかった放電セルＣ）とが、表示する画像に対応してパネル上に分布される。
【００１０】
このアドレス操作の後、全表示ラインＬにおいて一斉に、行電極対（Ｘ’，Ｙ’）に対して交互に放電維持パルスが印加され、この放電維持パルスが印加される毎に、発光セルにおいて放電（面放電）が発生される。
【００１１】
以上のようにして、発光セルにおける面放電により紫外線が発生され、各放電セルＣ内の赤，緑，青に色分けされた蛍光体層６（Ｒ），６（Ｇ），６（Ｂ）がそれぞれ励起されて発光することにより、表示画面の形成が行われる。
【００１２】
上記のような構成のＰＤＰにおいては、精細な画面を形成するためには、各放電セルＣのサイズを小さくして、蛍光体層６（Ｒ），６（Ｇ），６（Ｂ）を一単位として構成される画素数を増加させる必要がある。
【００１３】
しかしながら、このような画面の高精細化への要求に対応して、各放電セルＣのサイズを小さくすると、それに伴って、各放電セルＣにおける蛍光体層６（Ｒ），６（Ｇ），６（Ｂ）の表面積が減少してしまい、輝度が低下してしまうという新たな問題が生じてくる。
【００１４】
さらに、ＰＤＰにおいて、各行電極Ｘ’，Ｙ’の透明電極Ｘａ’，Ｙａ’の放電セルＣ上に張り出す長さの最大は、放電セルＣの縦幅の約半分であるが、上記のように画面の高精細化を図るために各放電セルＣのサイズが小さくなると、この行電極Ｘ’，Ｙ’の透明電極Ｘａ’，Ｙａ’の長さも小さくなるため、発光効率が低下してさらに輝度が低下してしまうという問題が発生する。
【００１５】
また、上記のように画面の高精細化を図るために各放電セルＣのサイズを小さくして画素数の増加を図ると、放電セルＣを区画する隔壁５や行電極対（Ｘ’，Ｙ’）の数も増加することになるが、このためにＰＤＰのパネル面から入射する外光を反射する部分の面積が増大して、その反射光による画面のコントラストの低下が大きくなってしまうという問題が発生する。
【００１６】
この発明は、上記のような従来のプラズマディスプレイパネルにおける問題点を解決するために為されたものである。
【００１７】
すなわち、この発明は、画面の高精細化に伴う輝度の低下を防止することが出来るプラズマディスプレイパネルを提供することを第１の目的とする。
【００１８】
さらに、この発明は、パネル面から入射する外光の反射によって画面のコントラストが低下するのを防止することが出来るプラズマディスプレイパネルを提供することを第２の目的とする。
【００１９】
【課題を解決するための手段】
第１の発明によるプラズマディスプレイパネルは、上記第１の目的を達成するために、前面基板の背面側に行方向に延び列方向に並設されてそれぞれ一表示ラインを形成する複数の行電極対が設けられ、背面基板の前面基板と放電空間を介して対向する側に列方向に延び行方向に並設された複数の列電極を備えたプラズマディスプレイパネルにおいて、前記行電極対を構成する行電極がそれぞれ、行方向に延びる電極本体部と、この電極本体部に沿って並設されるとともに電極本体部に対して交差するように接続された列方向に延びる複数の突出電極部を有し、前記行電極の電極本体部がそれぞれ、行電極対の対になっている他の行電極の電極本体部との間隔が交互に広くなったり狭くなったりするように波形に形成されていて、行電極対を構成する一方の行電極の電極本体部と隣接する表示ラインを形成する他の行電極対の他方の行電極の電極本体部とが同じ間隔で互いに背中合わせに配置されており、前記突出電極部が、電極本体部の対になっている他の行電極の電極本体部との間隔が広くなっている部分に接続されて、この突出電極部の対になっている他方の行電極の側に延びる部分がそれぞれ隣接する他の行電極対側に延びる部分よりも電極本体部から長く張り出しており、この突出電極部の他方の行電極側に長く張り出している部分の端部同士が所要の間隔を開けて対向されて放電ギャップを形成し、この互いに対向されて対になった突出電極部に対向する部分の放電空間にそれぞれ単位発光領域が形成されていることを特徴としている。
【００２０】
この第１の発明によるプラズマディスプレイパネルは、列電極と交差する部分にその列電極とともに単位発光領域を構成する行電極が、それぞれ、行方向に延びる電極本体部に対して単位発光領域ごとに交差するように接続された複数の突出電極部を備えていて、各単位発光領域が、隣接する二つの行電極の互いに対になった突出電極部に対向する部分の放電空間にそれぞれ形成されている。
【００２１】
したがって、上記第１の発明によれば、突出電極部が、電極本体部に対して交差するように接続されていて電極本体部から対となっている他方の突出電極部と反対側の方向にも張り出しており、各単位発光領域が、一対の突出電極部がそれぞれ接続されている二つの電極本体部の間だけでなく、電極本体部の互いに対になっている他方の電極本体部と反対側の部分にもそれぞれ形成されることになるので、各単位発光領域の幅が列方向に延びることによって、その発光面積が広くなる。
【００２２】
これによって、対となった突出電極部間で行われる面放電の際に、単位発光領域ごとの発光量が増加して、画面の高精細化に伴う列方向における輝度の低下が防止される
さらに、突出電極部の長さが列方向に長くなることによって発光効率が増し、これによって、画面の高精細化に伴う輝度の低下が防止される。
【００２９】
第２の発明によるプラズマディスプレイパネルは、前記第２の目的を達成するために、第１の発明の構成に加えて、前記行電極の電極本体部の前面側に、光を反射しない光吸収層が形成されていることを特徴としている。
【００３０】
この第２の発明によるプラズマディスプレイパネルによれば、パネルの画像表示面において単位発光領域の開口部以外の部分の面積を占める電極本体部の表示側の面が光吸収層によって覆われているため、この光吸収層によって前面基板を通して入射してくる外光が吸収されるので、入射光の反射が防止されて、反射光による画面のコントラストの低下が防止される。
【００３６】
第３の発明によるプラズマディスプレイパネルは、前記第１の目的を達成するために、第１の発明の構成に加えて、前記単位発光領域が、前記前面基板と背面基板との間において列方向に延びる帯状の壁部よって区画されていることを特徴としている。
【００３７】
この第３の発明によるプラズマディスプレイパネルによれば、行方向に隣接する単位発光領域の間が、列方向に延びる帯状の壁部によって区画される。
【００３８】
第４の発明によるプラズマディスプレイパネルは、前記第２の目的を達成するために、第３の発明の構成に加えて、前記隔壁の前面基板と対向する側に、光を反射しない光吸収層が形成されていることを特徴としている。
【００３９】
この第４の発明によるプラズマディスプレイパネルによれば、パネルの画像表示面において単位発光領域の開口部以外の部分の面積を占める隔壁の表示側の面が光吸収層によって覆われているため、この光吸収層によって前面基板を通して入射してくる外光が吸収されるので、入射してくる外光の反射が防止されて、反射光による画面のコントラストの低下が防止される。
【００４６】
【発明の実施の形態】
以下、この発明の最も好適と思われる実施の形態について、図面を参照しながら詳細に説明を行う。
【００４７】
図１ないし５は、この発明によるプラズマディスプレイパネル（以下、ＰＤＰという）の実施形態の第１の例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００４８】
この図１ないし５において、表示面である前面ガラス基板１０の背面に、行方向（図１の左右方向）に延びる帯状のバス電極ＸｂとＹｂが、前面ガラス基板１０の列方向（図１の上下方向）において交互にかつ等間隔に配列されている。
【００４９】
バス電極Ｘｂには、ＩＴＯ等の透明導電膜からなる透明電極ＸａとＸａ’が交互に接続されている。
【００５０】
このバス電極ＸａとＸａ’は、行方向に沿って交互にかつ等間隔に配列され、それぞれ、列方向に延びてバス電極Ｘｂに対して直角向きに交差するように配置されており、そして、バス電極Ｘｂの両側部から列方向に沿って互いに逆の方向に長く突出するようにバス電極Ｘｂに接続されている。
【００５１】
すなわち、透明電極Ｘａは、図１においてバス電極Ｘｂの側部から下方に突出している部分Ｘａ１の長さが、上方に突出している部分Ｘｂ２の長さの略二倍になるようにバス電極Ｘｂに対して接続されており、透明電極Ｘａ’は、透明電極Ｘａと逆に、バス電極Ｘｂの側部から上方に突出している部分Ｘａ１’の長さが、下方に突出している部分Ｘａ２’の長さの略二倍になるようにバス電極Ｘｂに対して接続されている。
【００５２】
この透明電極Ｘａ，Ｘａ’とバス電極Ｘｂによって、行電極Ｘが構成されている。
同様に、バス電極Ｙｂには、ＩＴＯ等の透明導電膜からなる透明電極ＹａとＹａ’が交互に接続されている。
【００５３】
このバス電極ＹａとＹａ’は、バス電極Ｙａが透明電極Ｘａに、また、バス電極Ｙａ’が透明電極Ｘａ’にそれぞれ列方向において対向するように、行方向に沿って交互にかつ等間隔に配列されている。
【００５４】
そして、バス電極ＹａとＹａ’は、それぞれ、列方向に延びてバス電極Ｙｂに対して直角向きに交差するように配置されているとともに、バス電極Ｙｂの両側部から列方向に沿って互いに逆の方向に長く突出するようにバス電極Ｙｂに接続されている。
【００５５】
すなわち、透明電極Ｙａは、図１においてバス電極Ｙｂの側部から上方に突出している部分Ｙａ１の長さが、下方に突出している部分Ｙａ２の長さの略二倍になるようにバス電極Ｙｂに対して接続されており、透明電極Ｙａ’は、透明電極Ｙａと逆に、バス電極Ｙｂの側部から下方に突出している部分Ｙａ１’の長さが、上方に突出している部分Ｙａ２’の長さの略二倍になるようにバス電極Ｙｂに対して接続されている。
【００５６】
この透明電極Ｙａ，Ｙａ’とバス電極Ｙｂによって、行電極Ｙが構成されている。
そして、行電極ＸとＹは、その間隔が、透明電極Ｘａの部分Ｘａ１と透明電極Ｙａの部分Ｙａ１の互いの先端部および透明電極Ｘａ’の部分Ｘａ１’と透明電極Ｙａ’の部分Ｙａ１’の互いに先端部がそれぞれ所要の幅の放電ギャップｇを介して互いに対向されるように、設定されている。
【００５７】
バス電極ＸｂとＹｂは、それぞれ表示面側の黒色導電層Ｘｂ’，Ｙｂ’と背面側の主導電層Ｘｂ”，Ｙｂ”の二層構造に形成されている。
【００５８】
前面ガラス基板１０の背面には、さらに、行電極対（Ｘ，Ｙ）を被覆するように誘電体層１１が形成されており、この誘電体層１１の背面には、互いに対向する透明電極Ｘａの部分Ｘａ２の先端部と透明電極Ｙａの部分Ｙａ２の先端部の中間位置、および、互いに対向する透明電極Ｘａ’の部分Ｘａ２’の先端部と透明電極Ｙａ’の部分Ｙａ２’の先端部の中間位置に対向する部分に、それぞれ、誘電体層１１の背面側に突出する後述するような所要の長さの嵩上げ誘電体層１１Ａが、行方向と平行に延びるように形成されている。
【００５９】
この誘電体層１１は、低融点ガラスペーストを所定の厚さでフィルム状にしたものを積層して焼成することにより形成され、嵩上げ誘電体層１１Ａは誘電体層１１上に低融点ガラスペーストを所定の厚さでスクリーン印刷して焼成することにより形成される。
【００６０】
そして、この誘電体層１１と嵩上げ誘電体層１１Ａの背面側には、ＭｇＯからなる保護層１２が形成されている。
【００６１】
一方、前面ガラス基板１０と平行に配置された背面ガラス基板１３の表示側の面上には、列電極Ｄが、各行電極ＸとＹの対となった透明電極Ｘａ，Ｙａおよび透明電極Ｘａ’，Ｙａ’に対向する位置において列方向に延びるように、互いに所要の間隔を開けて等間隔に配列されている。
【００６２】
背面ガラス基板１３の表示側の面上には、さらに、列電極Ｄを被覆する白色の誘電体層１４が形成され、この誘電体層１４上に、隔壁１５が形成されている。
【００６３】
隔壁１５は、互いに平行に配列された各列電極Ｄの間の位置において列方向に延びる縦壁１５ａと、嵩上げ誘電体層１１Ａに対向する位置において行方向に延びる横壁１５ｂとによって構成されている。
【００６４】
そして、この隔壁１５によって、前面ガラス基板１０と背面ガラス基板１３の間の放電空間が、隣接する行電極ＸとＹにおいて放電ギャップｇを挟んで対となった透明電極ＸａとＹａ、および、透明電極Ｘａ’とＹａ’に対向する部分毎に区画されて、それぞれ方形の放電セルＣおよびＣ’が形成されている。
【００６５】
したがって、図１から分かるように、透明電極ＸａとＹａに対向する放電セルＣと透明電極Ｘａ’とＹａ’に対向する放電セルＣ’は、互いにセルの縦幅の半分ずつの長さだけ列方向にずれるように配置されている。
【００６６】
この隔壁１５は、その表示面側に形成された黒色層（光吸収層）１５’と背面側の白色層１５”の二層構造に形成されており、放電セルＣおよびＣ’に面する側壁面がほぼ白色（すなわち、光反射層）になるように構成されている。
【００６７】
隔壁１５は、その横壁１５ｂの表示側の面が、保護層１２の嵩上げ誘電体層１１Ａを被覆している部分に当接されていて（図２および３，５参照）、列方向において隣接する放電セルＣ，Ｃ’との間がそれぞれ遮蔽されているが、縦壁１５ａの表示側の面は保護層１２に当接されておらず（図４参照）、その間に隙間ｒが形成されている。
【００６８】
各放電セルＣとＣ’に面する隔壁１５の縦壁１５ａおよび横壁１５ｂの側面と誘電体層１４の表面には、これらの五つの面を全て覆うように蛍光体層１６が、それぞれ形成されている。
【００６９】
この蛍光体層１６の色は、各放電セル毎に赤，緑，青の色が行方向に順に並ぶように、かつ、列方向に同一の色が並ぶように設定されている。
【００７０】
そして、図１に示されるように、行方向において隣接する蛍光体層１６が赤色の放電セルＣ（Ｒ）と緑色の放電セルＣ’（Ｇ），青色の放電セルＣ（Ｂ）の三つの放電セルによって一つの画素ＰＥが構成され、さらに、その隣りに隣接する蛍光体層１６が赤色の放電セルＣ’（Ｒ）と緑色の放電セルＣ（Ｇ），青色の放電セルＣ’（Ｂ）の三つの放電セルによって一つの画素ＰＥ’が構成される。
各放電セルＣおよびＣ’内には、放電ガスが封入されている。
【００７１】
このＰＤＰの画像表示における動作は、従来のＰＤＰと同様である。
すなわち、先ず、アドレス操作により、各放電セルＣ，Ｃ’において行電極対（Ｘ，Ｙ）と列電極Ｄとの間で選択的に対向放電が行われ、パネルの画像表示面に、発光セル（誘電体層１１に壁電荷が形成された放電セル）と非発光セル（誘電体層１１に壁電荷が形成されなかった放電セル）とが、表示する画像に対応して分布される。
【００７２】
このアドレス操作の後、行電極ＸとＹに対して交互に放電維持パルスが印加され、この放電維持パルスが印加される毎に、各発光セルにおいて面放電が発生される。
【００７３】
以上のようにして、発光セルにおける面放電によって紫外線が発生され、各発光セル内の赤，青，緑に色分けされた各蛍光体層１６がそれぞれ励起されることにより発光して、表示画面が形成される。
【００７４】
そして、上記ＰＤＰは、透明電極Ｘａ，Ｘａ’がそれぞれ行電極Ｘのバス電極Ｘｂから列方向に沿って両側に突出するように配置され、さらに、透明電極Ｙａ，Ｙａ’もそれぞれ行電極Ｙのバス電極Ｙｂから列方向に沿って両側に突出するように配置されていて、従来のように透明電極がバス電極から互いに対を為す行電極の透明電極側にのみ突出するように構成する場合に比べて、各透明電極Ｘａ，Ｘａ’，Ｙａ，Ｙａ’の長さが列方向において長くなっている。
【００７５】
このため、互いに対となる透明電極ＸａとＹａに対向する部分、および、透明電極Ｘａ’とＹａ’に対向する部分にそれぞれ形成される放電セルＣ，Ｃ’の一個当たりの表示面側の開口面積が大きくなって、それぞれの放電セルＣ，Ｃ’内に形成されている蛍光体層１６の表面面積が大きくなり、面放電の際の発光量が増加する。
【００７６】
さらに、各透明電極Ｘａ，Ｘａ’，Ｙａ，Ｙａ’の長さが列方向において長くなっているために、発光効率が増して画面の高精細化に伴う輝度の低下が防止される。
【００７７】
また、上記のＰＤＰにおいては、パネルの画像表示面において放電セルＣ，Ｃ’の開口部以外の部分の面積を占めるバス電極Ｘｂ，Ｙｂと隔壁１５の表示側の面が、何れも光を吸収する黒色層Ｘｂ’，Ｙｂ’および１５’によって覆われているために、画面の高精細化による画素数の増加に伴って隔壁５や行電極Ｘ，Ｙの数が増加しても、この部分に入射した外光が反射されることなく黒色層Ｘｂ’，Ｙｂ’および１５’によって吸収されるので、反射光によって画面のコントラストが低下するのが防止される。
【００７８】
またさらに、上記ＰＤＰは、誘電体層１１に嵩上げ誘電体層１１Ａが形成され、この嵩上げ誘電体層１１Ａを被覆する保護層１２が隔壁１５の横壁１５ｂの表示側の面に当接されて列方向において隣接する放電セルＣ，Ｃ’が互いに遮蔽されている（図２参照）ことにより、この列方向において隣接する放電セルＣ，Ｃ’間で放電の干渉が生じるのが防止される。
【００７９】
なお、上記ＰＤＰにおいては、隔壁１５の縦壁１５ａの表示側の面が、その一部を除いて、誘電体層１１の嵩上げ誘電体層１１Ａが形成されていない部分に対向されていて、この縦壁１５ａの表示側の面と保護層１２との間に隙間ｒが形成されている（図３，４参照）ために、行方向において互いに隣接する放電セルＣとＣ’が隙間ｒを介して僅かに連結されて、放電を連鎖的に生じさせるプライミング効果が発生されることにより、放電動作の安定化が図られている。
さらに、上記ＰＤＰは、各透明電極Ｘａ，Ｙａ，Ｘａ’，Ｙａ’が、それぞれ放電セルＣ，Ｃ’毎に島状に独立するように構成されているために、画面の精細度を上げるために各放電セルＣのサイズを小さくしても、行方向において、隣接する放電セルＣとの間に放電の干渉が生じるのが防止される。
【００８０】
図６は、この発明の実施形態における他の例を模式的に表した平面図である。
【００８１】
この例におけるＰＤＰは、図１ないし５の第１の例におけるＰＤＰの放電セルを区画する隔壁が列方向に延びる縦壁と行方向に延びる横壁とによって構成されているのに対し、各放電セルＣとＣ’が、横壁を有しない列方向に延びる帯状の隔壁２５によって区画されているものである。
【００８２】
他の部分の構成は、前述した図１ないし５の例のＰＤＰと同様であり、同様の符号が付されている。
【００８３】
そして、図１ないし５の例のＰＤＰと同様の動作によって各放電セルＣ，Ｃ’が発光されて、画像が形成される。
なお、図１ないし５の例では、嵩上げ誘電体層を電極本体部上の部分であってかつ隔壁の縦壁部に対向する部分、及び横壁部に対向する部分に設ける構成を示したが、誘電体層の電極本体部（バス電極）上の部分に、隔壁側に張り出して隔壁と当接するように設けても良い。
【００８４】
図７は、この発明の実施形態におけるさらに他の例を模式的に表した平面図である。
【００８５】
この例におけるＰＤＰは、各放電セルＣ１とＣ１’が、図６の例のＰＤＰと同様に、横壁を有しない列方向に延びる帯状の隔壁２５によって区画されている。
【００８６】
そして、行電極Ｘ１とＹ１は、それぞれのバス電極Ｘ１ｂとＹ１ｂが、行方向に延びて隔壁２５と交差する際の交差方向が一つ置きに上昇向きと下降向きになるように、波形に成形されており、この波形のバス電極Ｘ１ｂ，Ｙ１ｂの列方向に突出する各頂部（図７において上側の頂部をそれぞれＸｔ，Ｙｔとし、下側の頂部をＸｔ’，Ｙｔ’とする）が、互いに隣接する隔壁２５の間の丁度中間に位置するように位置設定されている。
【００８７】
この行電極Ｘ１とＹ１は、列方向に交互に配置されてそれぞれ隣接する行電極Ｘ１とＹ１が対となるように組み合わされており、それぞれ対となった行電極Ｘ１のバス電極Ｘ１ｂと行電極Ｙ１のバス電極Ｙ１ｂが、両者の間が所要の一定距離になるように配置されるとともに、この対となった行電極Ｘ１，Ｙ１のバス電極Ｘ１ｂ，Ｙ１ｂの上向きに突出する頂部Ｘｔ，Ｙｔと隣接する対の行電極Ｘ１，Ｙ１のバス電極Ｘ１ｂ，Ｙ１ｂの下向きに突出する頂部Ｘｔ’，Ｙｔ’とが、隔壁２５によって挟まれた同じ列において交互に位置するように、配列されている。
【００８８】
そして、この対となった行電極Ｘ１，Ｙ１のバス電極Ｘ１ｂ，Ｙ１ｂには、それぞれ、隣接する行電極対の対向しているバス電極Ｘ１ｂ，Ｙ１ｂとの間が広がっている部分に位置する頂部ＸｔとＹｔ’に、それぞれ透明電極Ｘ１ａ，Ｙ１ａが接続されている。
【００８９】
この各透明電極Ｘ１ａ,Ｙ１ａは、それぞれ、バス電極Ｘ１ｂ,Ｙ１ｂの両側から列方向に延びるとともに、隣接する行電極対側に延びる部分が対となっている他方の行電極側に延びる部分よりも短くなるように形成されている。
【００９０】
そして、この各透明電極Ｘ１ａ，Ｙ１ａの隣接する行電極対に向かって延びる部分の先端部は、隣接する行電極対の対向するバス電極Ｘ１ｂ，Ｙ１ｂから同様に延びてくる透明電極Ｘ１ａ，Ｙ１ａの先端部と、ギャップｇを介して互いに対向されている。
【００９１】
なお、各透明電極Ｘ１ａ，Ｙ１ａの対となっている他方の行電極側に延びる部分の先端部は、対となっている他方の行電極Ｘ１，Ｙ１との間の中間位置に位置されている。
【００９２】
放電セルＣ１およびＣ１’は、それぞれ、隣接する行電極対（Ｘ１，Ｙ１）の間において列方向に対向して一対となった透明電極Ｘ１ａとＹ１ａに対向する部分に形成されていて、この行方向において交互に配置される放電セルＣ１とＣ１’が、千鳥状に位置されている。
【００９３】
他の部分の構成は、前述した図１ないし５の例のＰＤＰと同様であり、図１ないし５の例のＰＤＰと同様の動作によって各放電セルＣ１,Ｃ１’が発光されて、画像が形成される。
【００９４】
なお、図１ないし５の例では、嵩上げ誘電体層を電極本体部上の部分であってかつ隔壁の縦壁部に対向する部分、及び横壁部に対向する部分に設ける構成を示したが、誘電体層の電極本体部（バス電極）上の部分に、隔壁側に張り出して隔壁と当接するように設けても良い。
【図面の簡単な説明】
【図１】この発明によるプラズマディスプレイパネルの一例を模式的に示す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】この発明によるプラズマディスプレイパネルの他の例を模式的に示す平面図である。
【図７】この発明によるプラズマディスプレイパネルのさらに他の例を模式的に示す平面図である。
【図８】従来のプラズマディスプレイパネルを模式的に示す平面図である。
【図９】図８のＶ−Ｖ線における断面図である。
【図１０】図８のＷ−Ｗ線における断面図である。
【符号の説明】
１０      …前面ガラス基板（前面基板）
１１      …誘電体層
１１Ａ    …嵩上げ誘電体層（嵩上げ部）
１２      …保護層
１３      …背面ガラス基板（背面基板）
１４      …誘電体層
１５，２５…隔壁
１５ａ    …縦壁（縦壁部）
１５ｂ    …横壁（横壁部）
１５’    …黒色層（光吸収層）
１５”    …白色層
１６      …蛍光体層
Ｘ，Ｘ１    …行電極
Ｙ，Ｙ１    …行電極
Ｘａ，Ｘａ’，Ｘ１ａ…透明電極（突出電極部）
Ｙａ，Ｙａ’，Ｙ１ａ…透明電極（突出電極部）
Ｘｂ，Ｘ１ｂ…バス電極（電極本体部）
Ｙｂ，Ｙ１ｂ…バス電極（電極本体部）
Ｘｂ’，Ｙｂ’…黒色導電層（光吸収層）
Ｘｂ”，Ｙｂ”…主導電層
Ｄ        …列電極
Ｃ，Ｃ’，Ｃ１，Ｃ１’…放電セル（単位発光領域）
ＰＥ，ＰＥ’…画素
ｇ        …ギャップ
ｒ        …隙間
【図１】
0003594857.tif 000002
【図２】
0003594857.tif 000003
【図３】
0003594857.tif 000004
【図４】
0003594857.tif 000005
【図５】
0003594857.tif 000006
【図６】
0003594857.tif 000007
【図７】
0003594857.tif 000008
【図８】
0003594857.tif 000009
【図９】
0003594857.tif 000010
【図１０】
0003594857.tif 000011